(57)【要約】【課題】施工作業の作業性の向上を図りやすくする。【解決手段】器具本体１０は、一面に開口部を有する箱状に形成され、開口部を通して取付部材４を含む光源ユニット２の一部が挿入される収容部１１と、取付ばね８０が引っ掛けられる引掛部１１４とを備える。収容部１１は、光源ユニット２の挿入方向に沿って取付部材４と対向する平板状の底壁１１０と、底壁１１０の周縁から立ち上がる側壁１１１とを有している。引掛部１１４は、側壁１１１をその厚み方向に貫通する孔を有し、側壁１１１における孔の縁に取付ばね８０の第１腕部８２が引っ掛けられるように構成されている。光源ユニット２は、第１腕部８２が引掛部１１４に引っ掛けられた状態で取付ばね８０のばね力によって器具本体１０に支持されている。【選択図】        図４
2018147590.tif 000002
【特許請求の範囲】
【請求項１】
光源ユニットと、前記光源ユニットを支持する器具本体とを有し、
前記光源ユニットは、光源と、板状に形成されて前記光源が取り付けられる取付部材と、取付ばねとを備え、
前記取付ばねは、コイル部と腕部とを有するねじりコイルばねからなり、
前記腕部がＵ字形状に形成され、
前記取付ばねは、前記取付部材から前記腕部を突出させた状態で前記コイル部及び前記腕部の端部を前記取付部材に支持させるように構成され、
前記器具本体は、一面に開口部を有する箱状に形成され、前記開口部を通して前記取付部材を含む前記光源ユニットの一部が挿入される収容部と、前記取付ばねが引っ掛けられる引掛部とを備え、
前記収容部は、前記光源ユニットの挿入方向に沿って前記取付部材と対向する平板状の底壁と、前記底壁の周縁から立ち上がる側壁とを有し、
前記引掛部は、前記側壁をその厚み方向に貫通する孔を有し、前記側壁における前記孔の縁に前記取付ばねの前記腕部が引っ掛けられるように構成され、
前記光源ユニットは、前記腕部が前記引掛部に引っ掛けられた状態で前記取付ばねのばね力によって前記器具本体に支持されている
ことを特徴とする照明器具。
【請求項２】
前記腕部は、前記取付部材から突出する方向に沿って前記取付部材から離れるに連れて、前記光源ユニットの挿入方向に沿って前記収容部の前記底壁から離れる向きに曲がるように形成されている
ことを特徴とする請求項１記載の照明器具。
【請求項３】
前記光源ユニットは、前記取付ばねを複数備え、
前記取付部材は、四辺形の板状に形成され、
複数の前記取付ばねは、前記取付部材の対向する２つの辺のそれぞれに少なくとも１つずつ配置されている
ことを特徴とする請求項１又は２記載の照明器具。
【請求項４】
前記器具本体は、前記引掛部を複数備え、
複数の前記引掛部のうちの１つの引掛部は、前記腕部の挿入を妨げるように、前記側壁における前記孔の縁から突出する突片を有している
ことを特徴とする請求項３記載の照明器具。
【請求項５】
前記光源ユニットは、前記腕部を挟んで前記取付部材と対向し、前記取付部材から離れる向きに沿った、前記腕部の変位を規制する規制部を有する
ことを特徴とする請求項１〜４のいずれか１項に記載の照明器具。
【請求項６】
前記光源ユニットは、前記コイル部をその軸の回りに回転可能に支持する第１支持部と、前記腕部をその端部を支点として回転可能に支持する第２支持部とを備え、
前記第２支持部は、前記コイル部の軸に対して前記支点を前記取付部材に近い位置に配置するように構成されている
ことを特徴とする請求項１〜５のいずれか１項に記載の照明器具。
【発明の詳細な説明】
【技術分野】
【０００１】
本発明は、照明器具に関し、より詳細には、光源ユニットと、光源ユニットを支持する器具本体とを有する照明器具に関する。
【背景技術】
【０００２】
従来例として特許文献１記載の照明器具を例示する。この従来例は、下面が開口した矩形箱状の器具本体と、光源ユニットと、光源ユニットを保持して器具本体に取り付けられる枠とを備えている。枠は、光源ユニットを内側に収めるようにして光源ユニットに固定される。また、枠は、複数の固定ばねを有している。各固定ばねは、コイル部及び一対の腕部を有するねじりコイルばねで構成されている。各腕部の先端には、鉤形の係止部がそれぞれ設けられている。
【０００３】
器具本体は、各固定ばねの腕部が挿通される孔を有している。光源ユニットは、枠の各固定ばねがそれぞれ備える一対の腕部を器具本体の孔の縁に引っ掛けるようにして器具本体に取り付けられる。
【先行技術文献】
【特許文献】
【０００４】
【特許文献１】特開２０１４−２３２７１３号公報
【発明の概要】
【発明が解決しようとする課題】
【０００５】
ところで、上記従来例において、光源ユニットが器具本体に取り付けられた状態では、複数の固定ばねそれぞれの腕部が器具本体の天面よりも上に大きく突出する。このため、上記従来例は、器具本体の上方に、各固定ばねの腕部を逃がすための空間を必要とし、施工作業の作業性の向上を図りにくいという問題があった。
【０００６】
本発明の目的は、施工作業の作業性の向上を図りやすい照明器具を提供することである。
【課題を解決するための手段】
【０００７】
本発明の一態様に係る照明器具は、光源ユニットと、前記光源ユニットを支持する器具本体とを有している。前記光源ユニットは、光源と、板状に形成されて前記光源が取り付けられる取付部材と、取付ばねとを備える。前記取付ばねは、コイル部と腕部とを有するねじりコイルばねからなる。前記腕部がＵ字形状に形成されている。前記取付ばねは、前記取付部材から前記腕部を突出させた状態で前記コイル部及び前記腕部の端部を前記取付部材に支持させるように構成されている。前記器具本体は、一面に開口部を有する箱状に形成され、前記開口部を通して前記取付部材を含む前記光源ユニットの一部が挿入される収容部と、前記取付ばねが引っ掛けられる引掛部とを備える。前記収容部は、前記光源ユニットの挿入方向に沿って前記取付部材と対向する平板状の底壁と、前記底壁の周縁から立ち上がる側壁とを有している。前記引掛部は、前記側壁をその厚み方向に貫通する孔を有し、前記側壁における前記孔の縁に前記取付ばねの前記腕部が引っ掛けられるように構成されている。前記光源ユニットは、前記腕部が前記引掛部に引っ掛けられた状態で前記取付ばねのばね力によって前記器具本体に支持されている。
【発明の効果】
【０００８】
本発明の照明器具は、施工作業の作業性の向上を図りやすいという効果がある。
【図面の簡単な説明】
【０００９】
【図１】図１は、本発明の一実施形態に係る照明器具の斜視図である。
【図２】図２は、同上の照明器具の側面図である。
【図３】図３は、同上の照明器具の別の側面図である。
【図４】図４は、同上の照明器具の分解斜視図である。
【図５】図５は、同上の照明器具における器具本体の分解斜視図である。
【図６】図６は、同上の照明器具の要部の断面図である。
【図７】図７は、同上の照明器具における一対の引掛部のうちの一方の引掛部の正面図である。
【図８】図８は、同上の照明器具における一対の引掛部のうちの他方の引掛部の正面図である。
【図９】図９は、同上の照明器具における光源ユニットの下方から見た分解斜視図である。
【図１０】図１０は、同上の光源ユニットの上方から見た分解斜視図である。
【図１１】図１１は、同上の光源ユニットのカバーを省略した斜視図である。
【図１２】図１２は、同上の照明器具における取付具の正面図である。
【図１３】図１３は、同上の取付具の平面図である。
【図１４】図１４は、同上の取付具の側面図である。
【図１５】図１５は、同上の取付具の側面図である。
【図１６】図１６は、同上の光源ユニットの変形例の下方から見た斜視図である。
【発明を実施するための形態】
【００１０】
本発明の一実施形態に係る照明器具について、図面を参照して詳細に説明する。本実施形態の照明器具１は、天井に埋込配設される埋込型の照明器具である。なお、以下の実施形態で説明する構成は本発明の一例にすぎない。本発明は、以下の実施形態に限定されず、本発明の効果を奏することができれば、設計等に応じて種々の変更が可能である。すなわち、照明器具１は、埋込型の照明器具に限定されず、例えば、天井に直付けされる直付け型の照明器具であってもよい。
【００１１】
本実施形態の照明器具１は、図１及び図４に示すように、光源ユニット２と、光源ユニット２を支持する器具本体１０とを備えている。ただし、以下の説明では、特に断りのない限り、図４において照明器具１の上下、前後及び左右の各方向を規定する。
【００１２】
器具本体１０は、図４及び図５に示すように、下面が開口した直方体形状（箱形）の収容部１１と、上面及び下面が開口した四角錐台状（角筒状）の反射部材１２とを有している。収容部１１は、正方形状の底壁１１０と、底壁１１０の４つの辺から下向きに突出する長方形状の４つの側壁１１１とを有している。底壁１１０は、給電用の電源線が挿通される複数の挿通孔１１００を有している。挿通孔１１００に挿通される電源線は、底壁１１０の下面に取り付けられている端子台１３に電気的に接続される。さらに、底壁１１０は、建物の天井躯体９に埋め込まれている吊りボルト９０が挿通される複数のボルト挿通孔１１０１を有している（図４参照）。これら複数のボルト挿通孔１１０１は、左右方向に一列に並ぶように底壁１１０に設けられている。収容部１１の底壁１１０及び４つの側壁１１１は、鋼板などの金属板によって一体に形成されることが好ましい。
【００１３】
左側の側壁１１１及び右側の側壁１１１の各々は、一対の係止部１１２と、一対の導通部１１３とを有している（図５参照）。一対の係止部１１２は、各側壁１１１の内側面から斜め上方に突出している（図６参照）。なお、これらの係止部１１２は、側壁１１１の一部が切り起こされて形成されることが好ましい。また、一対の導通部１１３は、側壁１１１の一部が切り起こされて形成されている（図５参照）。さらに、左側の側壁１１１及び右側の側壁１１１の各々は、一対の規制片１１５を有している。一対の規制片１１５は、概ね矩形平板状であって、各側壁１１１の長手方向（前後方向）の両端における内側の側面から、前側及び後側の側壁１１１と平行するように突出している。なお、これらの規制片１１５は、各側壁１１１から切り起こして形成されることが好ましい。
【００１４】
前側の側壁１１１及び後側の側壁１１１の各々は、一対の係止部１１２と、引掛部１１４とを有している（図５参照）。一対の係止部１１２は、左側及び右側の側壁１１１の係止部１１２と同様に、側壁１１１の一部が切り起こされることにより、各側壁１１１の内側面から斜め上方に突出するように形成されている。引掛部１１４は、側壁１１１の長手方向の中央に設けられている。引掛部１１４は、側壁１１１をその厚み方向に貫通する孔を有している。前側の引掛部１１４は、図７に示すように、前後方向から見て逆Ｕ字状の孔を有している。後側の引掛部１１４は、図８に示すように下側の縁から上向きに突出する長方形状の仮保持片１１４０と、上側の縁から下向きに突出する長方形状の第１突片１１４１とを有して概ねＨ字状に形成された孔を有している。さらに、後側の引掛部１１４は、仮保持片１１４０の長手方向（左右方向）の端から上向きに突出する第２突片１１４２を有している。つまり、後側の引掛部１１４が有する孔において、上下方向に沿って仮保持片１１４０及び第２突片１１４２と第１突片１１４１とに挟まれた部分が鉤形に形成されている。
【００１５】
反射部材１２は、４つの反射板１２０と、各反射板１２０の上端からそれぞれ上向きに突出する４つの側板１２１と、各反射板１２０の下端から前後方向及び左右方向に突出する枠体１２２とを有している（図５参照）。各反射板１２０は、台形状に形成されている。各側板１２１は、概ね台形状に形成されている。各側板１２１は、収容部１１の４つの側壁１１１のうちの対応する１つの側壁１１１にそれぞれ結合される。枠体１２２は、正方形の枠状に形成され、４つの反射板１２０のそれぞれの下端とつながっている。反射部材１２は、４つの反射板１２０の内側面（反射面）によって光源ユニット２が発する光の配光を調整するように構成されている。
【００１６】
４つの側板１２１は、すべて同一の形状に形成されている。各側板１２１は、一対の矩形の係止孔１２３と、矩形の貫通孔１２４と、一対の台形状の孔１２５とを有している（図５参照）。貫通孔１２４は、側板１２１の長手方向におけるほぼ中央に設けられている。一対の孔１２５は、側板１２１の長手方向に沿って貫通孔１２４の両側に設けられている。一対の係止孔１２３は、その長手方向を側板１２１の長手方向に揃え、かつ、側板１２１の長手方向に沿って一対の孔１２５の両側に設けられている。４つの側板１２１にそれぞれ一対ずつ設けられている係止孔１２３に、収容部１１の４つの側壁１１１にそれぞれ一対ずつ設けられている係止部１１２のうちの対応する１つの係止部１１２が１つずつ挿入される。係止孔１２３に挿入された係止部１１２は、各側板１２１における係止孔１２３の上側の縁に当たることにより、側板１２１に係止される（図４及び図６参照）。
【００１７】
上述のように、合計８つの係止部１１２がそれぞれ側壁１１１に係止されることにより、収容部１１と反射部材１２が結合されて器具本体１０が構成される（図４参照）。また、各側壁１１１に設けられている一対の導通部１１３は、対応する孔１２５に挿通されるように折り曲げられる（図４参照）。折り曲げられた導通部１１３は、側板１２１における孔１２５の縁に接触する。つまり、収容部１１は、導通部１１３を介して反射部材１２と電気的に導通している。さらに、側壁１１１に設けられている引掛部１１４は、側壁１１１及び側板１２１の厚み方向（前後方向）に沿って、側板１２１に設けられている貫通孔１２４と重なっている（図４参照）。
【００１８】
光源ユニット２は、図９及び図１０に示すように、２つのＬＥＤ（Light Emitting Diode）モジュール３と、取付部材４と、カバー５と、電源ユニット６と、無線通信ユニット７と、２つの取付具８とを備えている。
【００１９】
取付部材４は、正方形の取付板４０と、取付板４０の４つの辺からそれぞれ下向きに突出する４つの側板４１とを有している。ただし、取付板４０と４つの側板４１とは、亜鉛鋼板などの金属板が曲げ加工されて一体に形成されることが好ましい。４つの側板４１の各々は、細長い長方形状に形成されている。
【００２０】
２つのＬＥＤモジュール３の各々は、長方形状の実装基板３１の実装面（下面）に多数のＬＥＤ３０を実装して構成されている。各ＬＥＤ３０は、例えば、白色光を放射する照明用白色ＬＥＤである。これら複数のＬＥＤ３０は、実装基板３１の実装面に格子状に配置され、実装面に形成されている配線導体（銅はく）を介して互いに電気的に接続されている。また、各実装基板３１の実装面には、配線導体を介して各ＬＥＤ３０と電気的に接続されたレセプタクルコネクタ３２が実装されている。レセプタクルコネクタ３２は、後述するように電源ユニット６の出力線に結線されたプラグコネクタと抜き差し可能に接続される。２つのＬＥＤモジュール３は、取付板４０の下面に、左右方向に間隔を空けて並ぶようにして、ねじ止めにより取り付けられる（図１１参照）。
【００２１】
電源ユニット６は、プリント配線板６１に電子部品が実装されて構成された電源回路と、この電源回路を収容するケース６０とを有している（図１０参照）。電源回路は、入力コネクタ６２、整流器、力率改善回路、降圧型のＤＣ／ＤＣコンバータ、出力コネクタ６３などを備える。入力コネクタ６２は、電線を介して端子台１３と電気的に接続される。電源回路は、入力コネクタ６２から入力する交流電力を直流電力に変換した後、変換後の直流電力を出力コネクタ６３から電線（出力線）を介して出力する。直流電力は、出力線の先端に結線されたプラグコネクタ及びレセプタクルコネクタ３２を介して各ＬＥＤモジュール３の各ＬＥＤ３０に供給される。
【００２２】
プリント配線板６１は、長尺の矩形平板状の絶縁基板の部品面に配線導体（銅はく）が形成されている。プリント配線板６１の表面に、入力コネクタ６２、出力コネクタ６３、平滑コンデンサ、チョークコイルなどの、いわゆるリード部品が実装される。そして、プリント配線板６１のはんだ面に電源回路を構成している電子部品のうちの表面実装部品が実装される。ただし、入力コネクタ６２は、プリント配線板６１の長手方向の一端（左端）に実装され、出力コネクタ６３は、プリント配線板６１の長手方向の他端（右端）に実装されている。ケース６０は、図１０に示すように、金属製の板材によって長尺の箱状に形成されている。ケース６０は、入力コネクタ６２及び出力コネクタ６３を露出するようにしてプリント配線板６１を内部に収容している。電源ユニット６は、取付板４０の上面における前端に、ケース６０の長手方向を左右方向に一致させるようにして取付板４０にねじ止めされている（図１０参照）。
【００２３】
無線通信ユニット７は、図１０に示すように、合成樹脂製のハウジング７０、信号ケーブル７１、プラグコネクタ７２などを備えている。無線通信ユニット７は、ハウジング７０内に収容されているアンテナで受信する無線信号（例えば、９２０ＭＨｚ帯の電波を媒体とする無線信号）から制御指令を取得するように構成されている。なお、無線信号は、送信機から送信され、照明器具１の点灯・消灯及び／又は調光などを行うための制御指令を伝送している。無線通信ユニット７は、信号ケーブル７１並びにプラグコネクタ７２を介して、無線信号から取得した制御指令を電源ユニット６の電源回路へ伝送するように構成されている。なお、プラグコネクタ７２は、電源ユニット６に設けられているレセプタクルコネクタと電気的に接続される。電源ユニット６の電源回路は、無線通信ユニット７から伝送されてくる制御指令に応じて、出力コネクタ６３から出力する直流電力を調整してＬＥＤモジュール３を点灯・消灯及び調光するように構成されている。
【００２４】
無線通信ユニット７は、取付板４０の上面に取り付けられている（図１０参照）。取付板４０には、無線通信ユニット７のハウジング７０の一部（アンテナが収容されているアンテナ収容部７００）が挿通される孔４００が設けられている（図９参照）。無線通信ユニット７のハウジング７０は、アンテナ収容部７００が孔４００に挿通された状態で取付板４０の上面に固定されている。ただし、この孔４００は、取付板４０の下面において、２つのＬＥＤモジュール３の間に位置している。したがって、アンテナ収容部７００は、取付板４０の下面における２つのＬＥＤモジュール３の間から下向きに突出する（図１１参照）。
【００２５】
カバー５は、図１０に示すように、正方形状の底部５０と、底部５０の周縁から上向きに立ち上がる周壁部５１と、周壁部５１の上端に設けられた４つの取付部５２とを有している。底部５０と周壁部５１と４つの取付部５２は、アクリル樹脂やポリカーボネート樹脂などの透光性を有する合成樹脂材料によって一体に形成されることが好ましい。また、少なくとも底部５０及び周壁部５１は、その表面にシボ加工が施されることによって光を拡散するように構成されることが好ましい。あるいは、少なくとも底部５０及び周壁部５１は、合成樹脂材料に拡散剤が混入されることによって光を拡散するように構成されることが好ましい。各取付部５２は、周壁部５１の上端から底部５０と平行に突出する長方形状の突片５２０と、鉤形に形成されて周壁部５１の上端から上向きに突出する係合片５２１と、周壁部５１の上端から上向きに突出する突起５２２とを有している。
【００２６】
カバー５は、取付部材４の側板４１の内側に周壁部５１を収めるようにして取付部材４に取り付けられる。ここで、取付部材４の取付板４０において、カバー５の４つの取付部５２と対応する位置、すなわち、取付板４０の４つの辺における長手方向の中央に被取付部４２が１つずつ設けられている（図９及び図１０参照）。各被取付部４２は、取付板４０を厚み方向に貫通する取付孔４２０と、取付孔４２０の縁から側板４１に沿うように上向きに突出するかしめ片４２１とを有している。各取付部５２の係合片５２１及び突起５２２は、取付板４０の下から上に向かって、対応する取付孔４２０に挿通される（図１０参照）。そして、各かしめ片４２１が内向きにかしめられることにより、係合片５２１がかしめ片４２１に係合する。つまり、カバー５は、側板４１の内側に周壁部５１を収めるようにして取付部材４の取付板４０に取り付けられる（図１０参照）。
【００２７】
２つの取付具８は同一の構成を有している。各取付具８は、取付ばね８０と、取付ばね８０を取付板４０に取り付けるための取付金具８５とを有している（図１０及び図１２−図１５参照）。取付ばね８０は、コイル部８１と、２本の腕部と、端末部８４とを有するねじりコイルばねで構成されている。２本の腕部のうちで長い方の腕部を第１腕部８２と呼び、短い方の腕部を第２腕部８３と呼ぶ。第１腕部８２は、引掛片８２０と、第１腕片８２１と、第２腕片８２２とを有している。第１腕片８２１は、コイル部８１の端末からコイル部８１の径方向に突出している。ただし、第１腕片８２１の長手方向における複数箇所（例えば、２箇所）が同じ向き（下向き）に曲げられている（図１５参照）。引掛片８２０は、前後方向から見てＵ字状に形成され、長手方向の一端で第１腕片８２１の先端とつながり、長手方向の他端で第２腕片８２２の先端とつながっている（図１３参照）。第２腕片８２２の後端は、端末部８４とつながっている。ただし、第２腕片８２２の長手方向における複数箇所（例えば、２箇所）が同じ向き（下向き）に曲げられている（図１４参照）。端末部８４は、第２腕片８２２の後端から引掛片８２０とほぼ平行に突出している。
【００２８】
取付金具８５は、ベース８５０と、第１支持部８５１と、第２支持部８５２と、規制部８５３と、固定部８５４とを有している。ベース８５０は、概ね矩形の平板状に形成されている（図１２参照）。第１支持部８５１は、ベース８５０の長手方向の一端部に設けられている。第１支持部８５１は、ブリッジ状に形成され、取付ばね８０のコイル部８１に挿通されている（図１３参照）。つまり、第１支持部８５１は、コイル部８１をその軸の回りに回転可能に支持するように構成されている。なお、第２腕片８２２は、ベース８５０に引っ掛けられている（図１５参照）。
【００２９】
第２支持部８５２は、ベース８５０の長手方向の他端部に設けられている。第２支持部８５２は、半円筒形状に形成され、取付ばね８０の端末部８４が挿通されている（図１２−図１４参照）。つまり、第２支持部８５２は、端末部８４を軸として第１腕部８２を回転可能に支持するように構成されている。言い換えると、第２支持部８５２は、第２腕片８２２の端部を支点として第１腕部８２を回転可能に支持するように構成されている。ここで、ベース８５０の厚み方向（上下方向）から見ると、コイル部８１の軸と第２支持部８５２の軸が概ね直線状に並んでいる（図１２参照）。一方、ベース８５０の長手方向（左右方向）から見ると、コイル部８１の軸が第２支持部８５２の軸よりも上にある（図１４参照）。
【００３０】
規制部８５３は、矩形平板状に形成され、ベース８５０の短手方向の一端部から斜め上向きに突出するように構成されている。つまり、規制部８５３は、その先端を第１腕片８２１に当てることによって第１腕部８２の変位（回転）を規制するように構成されている。固定部８５４は、ベース８５０の短手方向に沿って第２支持部８５２と並ぶようにベース８５０から上向きに突出し、その上面に円形のねじ挿通孔８５５が設けられている（図１２参照）。取付金具８５は、固定部８５４のねじ挿通孔８５５に挿通されるねじが取付板４０のねじ孔にねじ込まれることにより、取付板４０の上面における前後方向の両端かつ左右方向の中央の位置に固定される（図１０参照）。そして、取付ばね８０の第１腕部８２は、取付板４０の外に突出する（図１１参照）。
【００３１】
ここで、第２腕片８２２は、第１腕片８２１よりも長く形成されている。したがって、取付ばね８０が取付金具８５に取り付けられた状態において、第２腕片８２２が第１腕片８２１よりも取付金具８５から離れる方向に突出するため、引掛片８２０及び第２腕片８２２が僅かに撓んでいる（図１２−図１５参照）。しかしながら、第１腕部８２に上向きの力が加えられるとコイル部８１が第１支持部８５１に支持されたまま上に変位するため、コイル部８１の軸方向から見て、第１腕片８２１の端末と第２腕片８２２の端末（端末部８４）とがほぼ重なる。その結果、第１腕部８２に上向きの力が加えられているときの引掛片８２０及び第２腕片８２２の撓みが解消されるので、引掛片８２０は、コイル部８１の軸とほぼ平行な状態となる。
【００３２】
次に、照明器具１を天井に施工する作業について説明する。施工作業を行う作業者は、まず、底壁１１０の挿通孔１１００に電源線を挿通した後、ボルト挿通孔１１０１に挿通した吊りボルト９０にナット９１を締め付けることで器具本体１０を吊りボルトに取り付ける（図４参照）。また、作業者は、挿通孔１１００から引き込んだ電源線を端子台１３に結線することで器具本体１０を天井に配設する。なお、器具本体１０は、収容部１１と反射部材１２を導通部１１３で電気的に導通させているので、収容部１１と反射部材１２の両方に接地工事を行う手間を省くことができる。
【００３３】
続いて、作業者は、後側の側板１２１に設けられた貫通孔１２４を通して、後側の側壁１１１に設けられた引掛部１１４の孔に後側の取付ばね８０の引掛片８２０を挿入する。このとき、作業者は、引掛部１１４の孔のうちで第２突片１１４２の上から引掛片８２０の長手方向の端部を挿入した後、仮保持片１１４０と第１突片１１４１の間から引掛片８２０全体を挿入する。なお、作業者が引掛部１１４の孔に挿入するために取付ばね８０の第１腕部８２に上向きの力を加えれば、第１腕部８２の引掛片８２０がコイル部８１の軸とほぼ平行な状態になるから、作業性の向上を図りやすくなる。そして、作業者は、第１腕部８２の引掛片８２０を、引掛部１１４の仮保持片１１４０に引っ掛けることで光源ユニット２を器具本体１０に仮保持させることができる。ここで、第１腕部８２は、取付金具８５の規制部８５３に当たる位置で変位が規制されているので、過度の変位による塑性変形の抑制が図られている。
【００３４】
作業者は、光源ユニット２を器具本体１０に仮保持させた状態で端子台１３と電源ユニット６の結線作業を行う。なお、上記仮保持状態において、引掛片８２０が仮保持片１１４０と第１突片１１４１の間に移動しても、第２突片１１４２に引掛片８２０が引っ掛かるため、取付ばね８０が不用意に引掛部１１４から外れる可能性は極めて低い。
【００３５】
そして、作業者は、前側の側壁１１１に設けられた引掛部１１４の孔に前側の取付ばね８０の第１腕部８２を挿入した後、光源ユニット２を持ち上げて収容部１１内に収容する。光源ユニット２が収容部１１内に収容されると、各取付ばね８０の第１腕部８２が側壁１１１の引掛部１１４の縁に引っ掛かる。その結果、光源ユニット２は、２つの取付ばね８０のばね力によって器具本体１０に支持される。以上のような手順で照明器具１の施工作業が完了する。なお、取付部材４の取付板４０の上面が収容部１１の規制片１１５の下端に当たることによって、収容部１１内における光源ユニット２の位置が規制されている（図６参照）。そのため、照明器具１は、電源ユニット６が取付板４０に当たるようなことをがなくなり、器具本体１０から光源ユニット２に加わる応力の低減を図ることが可能になる。
【００３６】
ここで、光源ユニット２の取付ばね８０は、光源ユニット２が器具本体１０に取り付けられている状態において、収容部１１の側壁１１１に設けられている引掛部１１４の孔を通して収容部１１の外に突出している（図２参照）。つまり、照明器具１は、従来例のように複数の固定ばねそれぞれの腕部が器具本体の天面よりも上に突出することがないので、器具本体１０の上方に取付ばね８０の第１腕部８２を逃がすための空間を必要としない。その結果、照明器具１は、施工作業の作業性の向上を図りやすくなる。
【００３７】
また、第１腕部８２は、取付部材４から突出する方向（前後方向）に沿って取付部材４から離れるにつれて、光源ユニット２の挿入方向（上下方向）に沿って底壁１１０から離れる向き（下向き）に曲がるように形成されている。そのため、側壁１１１から突出する取付ばね８０の第１腕部８２が器具本体１０よりも上にある部材と干渉して施工作業の作業性が低下することを避けることができる。
【００３８】
さらに、光源ユニット２は、取付ばね８０を複数（例えば、２個）備えている。これら２つの取付ばね８０は、取付部材４の対向する２つの辺（前側の辺及び後側の辺）のそれぞれに少なくとも１つずつ配置されている。したがって、作業者が器具本体１０から光源ユニット２を取り外す際、光源ユニット２を下に引き下げた後に各取付ばね８０を引掛部１１４の孔から引き抜けばよいので、器具本体１０から光源ユニット２を取り外す際の作業性の向上を図りやすくなる。
【００３９】
ただし、光源ユニット２が備える２つの取付具８は、必ずしも同一構造でなくてもかまわない。例えば、光源ユニット２の変形例として、図１６に示すように片側の取付具８が取付ばね８０の代わりに鉤形の引掛金具８６を有していてもかまわない。引掛金具８６は、鉤形に形成されて光源ユニット２の取付部材４の端から外向きに突出している。引掛金具８６は、器具本体１０の側壁１１１の引掛部１１４に引っ掛けられて光源ユニット２を器具本体１０に仮保持させることができる。そして、光源ユニット２は、引掛金具８６が後側の引掛部１１４に引っ掛けられ、取付ばね８０が前側の引掛部１１４に引っ掛けられることにより、器具本体１０の収容部１１に支持される。
【００４０】
ところで、取付ばね８０がコイル部８１を１つしか有しない基本形状のねじりコイルばねであるので、引掛片８２０をコイル部８１の軸と平行する状態のままで第１腕部８２を回転させることが困難である。そこで、取付具８の取付金具８５は、コイル部８１をその軸の回りに回転可能に支持する第１支持部８５１と、第１腕部８２をその端部を支点として回転可能に支持する第２支持部８５２とを備えている。そして、第２支持部８５２は、コイル部８１の軸に対して、第１腕部８２の回転の支点を取付部材４（の取付板４０）に近い位置に配置するように構成されている。そのため、第１腕部８２が力を加えられて回転しているときの引掛片８２０及び第２腕片８２２の撓みが解消されるので、引掛片８２０をコイル部８１の軸とほぼ平行な状態とすることができる。引掛片８２０がコイル部８１の軸とほぼ平行な状態になれば、作業者が引掛片８２０を引掛部１１４の孔に挿入しやすくなる。
【００４１】
上述のように照明器具１は、光源ユニット２と、光源ユニット２を支持する器具本体１０とを有している。光源ユニット２は、光源（ＬＥＤモジュール３）と、板状に形成されてＬＥＤモジュール３が取り付けられる取付部材４と、取付ばね８０とを備える。取付ばね８０は、コイル部８１と腕部（第１腕部８２）とを有するねじりコイルばねからなる。第１腕部８２がＵ字形状に形成されている。取付ばね８０は、取付部材４から第１腕部８２を突出させた状態でコイル部８１及び第１腕部８２の端部を取付部材４に支持させるように構成されている。器具本体１０は、一面に開口部を有する箱状に形成され、開口部を通して取付部材４を含む光源ユニット２の一部が挿入される収容部１１と、取付ばね８０が引っ掛けられる引掛部１１４とを備える。収容部１１は、光源ユニット２の挿入方向に沿って取付部材４と対向する平板状の底壁１１０と、底壁１１０の周縁から立ち上がる側壁１１１とを有している。引掛部１１４は、側壁１１１をその厚み方向に貫通する孔を有し、側壁１１１における孔の縁に取付ばね８０の第１腕部８２が引っ掛けられるように構成されている。光源ユニット２は、第１腕部８２が引掛部１１４に引っ掛けられた状態で取付ばね８０のばね力によって器具本体１０に支持されている。
【００４２】
照明器具１は上述のように構成されるので、従来例のように複数の固定ばねそれぞれの腕部が器具本体の天面よりも上に突出することがなく、器具本体１０の上方に取付ばね８０の第１腕部８２を逃がすための空間を必要としない。その結果、照明器具１は、施工作業の作業性の向上を図りやすくなる。
【００４３】
照明器具１において、第１腕部８２は、取付部材４から突出する方向に沿って取付部材４から離れるに連れて、光源ユニット２の挿入方向（上下方向）に沿って収容部１１の底壁１１０から離れる向きに曲がるように形成されていることが好ましい。
【００４４】
照明器具１が上述のように構成されれば、収容部１１の側壁１１１の外に突出する第１腕部８２を収容部１１の底壁１１０よりも下に配置させて、器具本体１０の上方に存在する物体と第１腕部８２との干渉を防ぐことができる。
【００４５】
照明器具１において、光源ユニット２は、取付ばね８０を複数備えることが好ましい。取付部材４は、四辺形の板状に形成されることが好ましい。複数の取付ばね８０は、取付部材４の対向する２つの辺のそれぞれに少なくとも１つずつ配置されていることが好ましい。
【００４６】
照明器具１が上述のように構成されれば、器具本体１０から光源ユニット２を取り外す際の作業性の向上を図りやすくなる。
【００４７】
照明器具１において、器具本体１０は、引掛部１１４を複数備えることが好ましい。複数の引掛部１１４のうちの１つの引掛部１１４は、第１腕部８２の挿入を妨げるように、側壁１１１における孔の縁から突出する突片（第１突片１１４１及び第２突片１１４２）を有していることが好ましい。
【００４８】
照明器具１が上述のように構成されれば、突片（第１突片１１４１及び第２突片１１４２）に引っ掛かることで引掛部１１４の孔から第１腕部８２が抜け難いので、取付ばね８０が不用意に引掛部１１４から外れる可能性を低減することができる。
【００４９】
照明器具１において、光源ユニット２は、第１腕部８２を挟んで取付部材４と対向し、取付部材４から離れる向きに沿った、第１腕部８２の変位を規制する規制部８５３を有することが好ましい。
【００５０】
照明器具１が上述のように構成されれば、取付金具８５の規制部８５３に当たる位置で第１腕部８２の変位が規制されるので、過度の変位による第１腕部８２の塑性変形の抑制が図られる。
【００５１】
照明器具１において、光源ユニット２は、コイル部８１をその軸の回りに回転可能に支持する第１支持部８５１と、第１腕部８２をその端部を支点として回転可能に支持する第２支持部８５２とを備えることが好ましい。第２支持部８５２は、コイル部８１の軸に対して支点を取付部材４に近い位置に配置するように構成されていることが好ましい。
【００５２】
照明器具１が上述のように構成されれば、第１腕部８２が力を加えられて回転しているときの引掛片８２０及び第２腕片８２２の撓みが解消されるので、引掛片８２０をコイル部８１の軸とほぼ平行な状態とすることができる。引掛片８２０がコイル部８１の軸とほぼ平行な状態になれば、作業者が引掛片８２０を引掛部１１４の孔に挿入しやすくなる。
【符号の説明】
【００５３】
１  照明器具
２  光源ユニット
３  ＬＥＤモジュール（光源）
４  取付部材
１１  収容部
８０  取付ばね
８１  コイル部
８２  第１腕部（腕部）
１１０  底壁
１１１  側壁
１１４  引掛部
８５１  第１支持部
８５２  第２支持部
８５３  規制部
１１４１  第１突片（突片）
１１４２  第２突片（突片）
【図１】
2018147590.tif 000003
【図２】
2018147590.tif 000004
【図３】
2018147590.tif 000005
【図４】
2018147590.tif 000006
【図５】
2018147590.tif 000007
【図６】
2018147590.tif 000008
【図７】
2018147590.tif 000009
【図８】
2018147590.tif 000010
【図９】
2018147590.tif 000011
【図１０】
2018147590.tif 000012
【図１１】
2018147590.tif 000013
【図１２】
2018147590.tif 000014
【図１３】
2018147590.tif 000015
【図１４】
2018147590.tif 000016
【図１５】
2018147590.tif 000017
【図１６】
2018147590.tif 000018